(57)【特許請求の範囲】
【請求項１】
記録媒体に形成された画像を読み取る画像読取部と、
前記画像読取部を収納し、前記画像読取部の底面を覆う面を有し、当該画像読取部を前記記録媒体側に変位自在に支持する収納部と、
前記収納部内で前記画像読取部を前記記録媒体側へ付勢する付勢部材と、を有し、
前記収納部は、前記付勢部材を装着する付勢部材装着部を有し、更に当該付勢部材装着部は、前記面から反画像読取部側に窪んだ窪み部を有しており、前記付勢部材装着部の前記窪み部には、反画像読取部側に窓が形成され、前記窓は、貫通孔であって、前記窪み部以外には形成されていない画像読取装置。
【請求項２】
前記付勢部材装着部は、前記画像読取部側に突出する突出部を有する請求項１に記載の画像読取装置。
【請求項３】
前記突出部は、十字形状に突出している請求項２記載の画像読取装置。
【請求項４】
前記突出部は、円柱形状に突出している請求項２記載の画像読取装置。
【請求項５】
前記付勢部材装着部の前記窪み部に、前記付勢部材が配設される請求項１乃至４いずれかに記載の画像読取装置。
【請求項６】
前記窓は、少なくとも２つ、対角線上に形成される請求項１乃至５いずれか記載の画像読取装置。
【請求項７】
前記面には、前記窓は形成されていない、請求項１乃至６いずれか記載の画像読取装置。
【発明の詳細な説明】
【技術分野】
【０００１】
本発明は、画像読取装置に関する。
【背景技術】
【０００２】
特許文献１には、原稿を搬送する原稿通路の下面を形成するとともに軸受け部を有する下フレーム１１と、この下フレームの上側に位置して前記原稿通路の上面を形成し前記下フレームに対して開閉可能な上フレーム１２と、前記原稿通路に臨んで配置され軸部が前記下フレームの軸受け部において着脱可能に一定位置に支持されて前記上フレームにより押えられた読取り基準ローラ２０と、前記下フレームまたは上フレームに上下方向変位自在に配置されたイメージスキャナ１７と、前記下フレームまたは上フレームに設けられて前記イメージスキャナを支持して前記読取り基準ローラに向けて弾性力を加える弾性体５２とを具備する構成が記載されている。
【先行技術文献】
【特許文献】
【０００３】
【特許文献１】特開平１０−２２４５６９号公報
【発明の概要】
【発明が解決しようとする課題】
【０００４】
本発明は、付勢部材の装着を視認することができる画像読取装置を提供することを目的とする。
【課題を解決するための手段】
【０００５】
請求項１に係る本発明は、記録媒体に形成された画像を読み取る画像読取部と、前記画像読取部を収納し、前記画像読取部の底面を覆う面を有し、当該画像読取部を前記記録媒体側に変位自在に支持する収納部と、前記収納部内で前記画像読取部を前記記録媒体側へ付勢する付勢部材と、を有し、前記収納部は、前記付勢部材を装着する付勢部材装着部を有し、更に当該付勢部材装着部は、前記面から反画像読取部側に窪んだ窪み部を有しており、前記付勢部材装着部の前記窪み部には、反画像読取部側に窓が形成され、前記窓は、貫通孔であって、前記窪み部以外には形成されていない画像読取装置である。 
【０００６】
請求項２に係る本発明は、前記付勢部材装着部は、前記画像読取部側に突出する突出部を有する請求項１に記載の画像読取装置である。
【０００７】
請求項３に係る本発明は、前記突出部は、十字形状に突出している請求項２記載の画像読取装置である。
【０００８】
請求項４に係る本発明は、前記突出部は、円柱形状に突出している請求項２記載の画像読取装置である。
【０００９】
請求項５に係る本発明は、前記付勢部材装着部の前記窪み部に、前記付勢部材が配設される請求項１乃至４いずれかに記載の画像読取装置である。
【００１０】
請求項６に係る本発明は、前記窓は、少なくとも２つ、対角線上に形成される請求項１乃至５いずれか記載の画像読取装置である。
【００１１】
請求項７に係る本発明は、前記面には、前記窓は形成されていない、請求項１乃至６いずれか記載の画像読取装置である。
【発明の効果】
【００１２】
請求項１及び請求項７に係る本発明によれば、付勢部材の装着を視認することができる画像読取装置を提供することができる。
【００１３】
請求項２に係る本発明によれば、請求項１に係る発明の効果に加え、付勢部材を位置決めすることができる。
【００１４】
請求項３に係る本発明によれば、請求項２に係る発明の効果に加え、付勢部材の下端を4点で保持することができる。
【００１５】
請求項４に係る本発明によれば、請求項２に係る発明の効果に加え、付勢部材の下端を周状に保持することができる。
【００１６】
請求項５に係る本発明によれば、請求項１乃至４いずれかに係る発明の効果に加え、安定して付勢部材を保持することができる。
【００１７】
請求項６に係る本発明によれば、請求項１乃至５いずれかに係る発明の効果に加え、付勢部材が適切な姿勢で装着されたか視認することができる。
【図面の簡単な説明】
【００１９】
【図１】本発明の一実施形態に係る画像読取装置の概略構成を示す図である。
【図２】本発明の一実施形態に係るＣＩＳ（Ｃｏｎｔａｃｔ  Ｉｍａｇｅ  Ｓｅｎｓｏｒ）の内部構造を説明するための図である。
【図３】本発明の一実施形態に係るＣＩＳがハウジング内に収納されている様子を示す斜視図である。
【図４】本発明の一実施形態に係るＣＩＳをハウジングから取り出した状態を示す斜視図である。
【図５】図４に示すハウジングの裏面側を示す斜視図である。
【図６】本発明の一実施形態に係るＣＩＳ周辺の構成を説明するための図である。
【図７】本発明の一実施形態に係る付勢部材装着部周辺の（ａ）はＣＩＳ装着側を示す斜視図であって、（ｂ）は（ａ）の裏面側を示す斜視図である。
【図８】本発明の第２の実施形態に係る付勢部材装着部をＣＩＳ装着側の裏面側からみた（ａ）は上面図であって、（ｂ）は斜視図である。
【図９】本発明の第３の実施形態に係る付勢部材装着部をＣＩＳ装着側の裏面側からみた（ａ）は上面図であって、（ｂ）は斜視図である。
【図１０】本発明の第４の実施形態に係る付勢部材装着部をＣＩＳ装着側の裏面側からみた（ａ）は上面図であって、（ｂ）は斜視図である。
【図１１】本発明の第５の実施形態に係る付勢部材装着部をＣＩＳ装着側の裏面側からみた（ａ）は上面図であって、（ｂ）は斜視図である。
【図１２】本発明の第６の実施形態に係る付勢部材装着部周辺の（ａ）はＣＩＳ装着側を示す斜視図であって、（ｂ）はＣＩＳ周辺の構成を説明するための断面図である。
【発明を実施するための形態】
【００２０】
次に、本発明を実施するための一形態を図面を参照して説明する。
図１は本実施の形態が適用される画像読取装置１０の全体構成を示す図である。この画像読取装置１０は、積載された記録媒体束から記録媒体を順次搬送する記録媒体送り装置１２と、スキャンによって記録媒体の画像を読み取るスキャナ装置１４とから構成されている。
【００２１】
記録媒体送り装置１２は、複数枚の記録媒体からなる記録媒体束を積載する記録媒体収容部１６、この記録媒体収容部１６の下方に設けられ、読み取りが終了した記録媒体を積載する排紙収容部１８を備える。また、記録媒体送り装置１２は記録媒体収容部１６の記録媒体を取り出して搬送する取り出しロール２０を備える。さらに、取り出しロール２０の記録媒体搬送方向下流側には、記録媒体を一枚ずつ捌く捌き機構２２が設けられる。この捌き機構２２は、取り出しロール２０により供給される記録媒体をさらに下流側に向けて搬送するフィードロール２２ａ、取り出しロール２０により供給される記録媒体を一枚ずつに捌くリタードロール２２ｂを有する。記録媒体が搬送される搬送路２４には、記録媒体搬送方向上流側から順に、プレレジロール２６、レジロール２８、プラテンロール３０、アウトロール３２、および排出ロール３４が設けられる。プレレジロール２６は、一枚ずつに捌かれた記録媒体を下流側のロールに向けて搬送すると共に記録媒体のループ形成を行う。レジロール２８は、回転し一旦停止した後にタイミングを合わせて回転を再開し、後述する画像読取部に対してレジストレーション調整を施しながら記録媒体を供給する。プラテンロール３０は、スキャナ装置１４にて読み込み中の記録媒体搬送をアシストする。アウトロール３２は、スキャナ装置１４にて読み込まれた記録媒体をさらに下流に搬送する。そして、排出ロール３４は、読み込まれた記録媒体をさらに搬送すると共に排紙収容部１８に排出する。
【００２２】
一方、スキャナ装置１４は、上述した記録媒体送り装置１２を開閉可能に支持すると共に、この記録媒体送り装置１２を装置フレーム３６によって支え、また、記録媒体送り装置１２によって搬送される記録媒体の画像読み取りを行っている。このスキャナ装置１４は、筐体を形成する装置フレーム３６、画像を読み込むべき記録媒体を静止させた状態で置くことが可能な第１プラテンガラス３８Ａ、記録媒体送り装置１２によって搬送される記録媒体を読み取るための光の開口部を有する第２プラテンガラス３８Ｂを備えている。
【００２３】
また、スキャナ装置１４は、第２プラテンガラス３８Ｂの下に静止し、あるいは第１プラテンガラス３８Ａの全体にわたってスキャンして画像を読み取る画像読取部としてのＣＩＳ（Ｃｏｎｔａｃｔ  Ｉｍａｇｅ  Ｓｅｎｓｏｒ：密着イメージセンサ）４０が設けられている。そして、スキャナ装置１４は、不図示の制御・画像処理ユニット４２をさらに備える。制御・画像処理ユニット４２は、後で詳述するＣＩＳ４０から入力される記録媒体の画像データに所定の処理を施す。また、制御・画像処理ユニット４２は、画像読取装置１０の読み取り動作における各部の動作を制御する。
【００２４】
第１プラテンガラス３８Ａに載置された記録媒体の画像を読み取る固定読み取りモードでは、ＣＩＳ４０をスキャン方向（矢印方向）に移動させ、これを記録媒体全体に亘って実行することで、１ページの記録媒体読み取りを完了させる。
【００２５】
一方、第２プラテンガラス３８Ｂは、例えば長尺の板状構造をなす透明なガラスプレートで構成される。記録媒体送り装置１２によって搬送される記録媒体の画像を読み取る搬送読み取りモードでは、搬送される記録媒体がこの第２プラテンガラス３８Ｂの上を通過する。このとき、ＣＩＳ４０は、図１に示す実線の位置に停止した状態におかれる。そして、記録媒体送り装置１２のプラテンロール３０を経た記録媒体の画像がＣＩＳ４０によって読み込まれ、１ページの記録媒体の読み取りが完了する。
【００２６】
図２は、ＣＩＳ４０の構成を説明するための図である。
【００２７】
ＣＩＳ４０では、プラテンガラス３８を介して対向する他方の側から、記録媒体の画像が読み込まれる。このＣＩＳ４０は、ＣＩＳ本体４２、ガラス４４、ＬＥＤ（Ｌｉｇｈｔ  Ｅｍｉｔｔｉｎｇ  Ｄｉｏｄｅ）アレイ４６、ロッドレンズアレイ４８、およびラインセンサ５０を備えている。これらのうち、ガラス４４は、ＣＩＳ本体４２の搬送路２４側に形成された開口に装着される。また、ＬＥＤアレイ４６は、ガラス４４を介して記録媒体に光を照射する。ロッドレンズアレイ４８は、ＬＥＤアレイ４６からの照射光の反射光を読取位置Ａにて集光する。ラインセンサ５０は、ロッドレンズアレイ４８により集光された光を読み取る。そして、ラインセンサ５０としては、ＣＣＤやＣＭＯＳセンサ、密着型センサ等を用いることができ、実寸幅（例えばＡ４長手幅２９７ｍｍ）の画像を読み取ることが可能である。つまり、ＣＩＳ４０では、縮小光学系を用いずにロッドレンズアレイ４８およびラインセンサ５０を用いた所謂等倍光学系にて画像の取り込みを行う。
【００２８】
図３は、ＣＩＳ４０がハウジング５２内に収納されている様子を示す斜視図である。
図４は、ＣＩＳ４０をハウジング５２から取り出した状態を示す斜視図である。
図５は、図４のハウジング５２を裏面側からみた斜視図である。
図６は、ＣＩＳ４０周辺の構成を説明するための図である。
【００２９】
ＣＩＳ４０は、収納部としてのハウジング５２内に収納されている。
【００３０】
ハウジング５２は箱形状であって、ＣＩＳ４０の長手方向を覆う第１の面５２ａ，５２ａと、ＣＩＳ４０の短手方向を覆う第２の面５２ｂ，５２ｂと、ＣＩＳ４０の底面を覆う第３の面５２ｃと、から構成される。
【００３１】
第１の面５２ａとＣＩＳ４０との間には、空間Ａが形成されている。また、第３の面５２ｃとＣＩＳ４０との間には、空間Ｂが形成されている。
【００３２】
ハウジング５２の底面（第３の面５２ｃ）には、例えば圧縮コイルばね等の付勢部材５４が装着される付勢部材装着部５６が複数（本実施形態においては２つ）形成されている。この付勢部材装着部５６に付勢部材５４の下端が装着されて、ＣＩＳ４０は、ハウジング５２内で付勢部材５４に空間Ａ及び空間Ｂ内で変位自在に支持されてプラテンガラス３８に向けて（記録媒体側に）押し当てられる。
【００３３】
ハウジング５２の長手方向の両端側には、プラテンガラス３８に対して摺動性を有する摺動部材５８，５８が設けられている。摺動部材５８，５８は、例えばコの字形状であって、ＣＩＳ４０のプラテンガラス３８に対向する側の両端面を覆うように形成されている。
【００３４】
ＣＩＳ４０は、摺動部材５８，５８を介してプラテンガラス３８に押し当てられ、この第１プラテンガラス３８Ａ上に置かれた又は第２プラテンガラス３８Ｂ上を通過する記録媒体の画像はＣＩＳ４０にて読み込まれる。
【００３５】
図７は、本発明の一実施形態に係る付勢部材装着部５６周辺の（ａ）はＣＩＳ４０装着側を示す斜視図であって、（ｂ）は（ａ）の裏面側を示す斜視図である。
【００３６】
付勢部材装着部５６は、例えばハウジング５２の底面（第３の面５２ｃ）から反ＣＩＳ４０装着側に円形状に窪んだ窪み部６０と、窪み部６０内でＣＩＳ４０装着側に突出した突出部６２と、窪み部６０の底面を貫通して形成された窓６４と、から構成されている。
【００３７】
突出部６２は、例えば十字形状である。
付勢部材５４の下端が窪み部６０の内周面と突出部６２の端部で形成された隙間Ｓに挿入されて、付勢部材５４は、突出部６２の十字形状の端部に４点で保持されつつ、窪み部６０の底面に支持される。すなわち、ＣＩＳ４０がハウジン部５２内で変位自在に支持される。
【００３８】
窓６４は、十字形状の突出部６２に対して、この突出部６２の底面と、一方の対角線上に配置された窪み部６０の底面を保持した状態で、他方の対角線上に配置された窪み部６０の底面が扇形状に貫通して形成される。窓６４は、ハウジング５２の裏面側からみると扇形状に対角線上に２つ形成され、窓６４から付勢部材５４の一部が視認される。すなわち、ＣＩＳ４０の装着側の裏面側から窓６４を介して付勢部材５４が正確な姿勢で装着されていることが視認される。
【００３９】
次に、ＣＩＳ４０を画像読取装置１０に装着する際の組み立ての動作について説明する。
【００４０】
まず、ハウジング５２の付勢部材装着部５６に付勢部材５４を装着する。具体的には、付勢部材５４の下端が突出部６２に４点で保持されるように窪み部６０内に設置する。
【００４１】
次に、ハウジング５２内にＣＩＳ４０を装着する。
【００４２】
次に、プラテンガラス３８に対向する位置にＣＩＳ４０を装着する。
この際、ＣＩＳ装着側の裏面側から付勢部材装着部５６に形成された窓６４を介して付勢部材５４の装着、姿勢を確認しながら作業しうる。すなわち、ＣＩＳ４０をハウジング５２内に収納した後であっても、付勢部材５４の姿勢が視認されて、ＣＩＳ４０を装置本体に設置する際の組み立て不良を抑制し、付勢部材の付け忘れ等の欠品が防止される。
【００４３】
図８は、本発明の第２の実施形態に係る付勢部材装着部６６をＣＩＳ装着側の裏面側からみた（ａ）は上面図であって、（ｂ）は斜視図である。
【００４４】
付勢部材装着部６６は、上述した実施形態と窓の形状のみ異なる。
本実施形態における窓７４は、十字形状の突出部６２部分に対して、この突出部６２の底面と、一方の対角線上に配置された窪み部６０の底面を保持した状態で、他方の対角線上に配置された窪み部６０の底面が切り欠かれた状態で貫通して形成される。窓７４は、ハウジング５２の裏面側からみると扇形状に対角線上に２つ切り欠かれた状態で形成され、窓７４から付勢部材５４の一部が視認される。ＣＩＳ４０の装着側の裏面側から、窓７４を介して付勢部材５４が正確な姿勢で装着されていることが視認される。また、ＣＩＳ４０の裏面側の窪み部６０の底面だけでなく、その側面も覆われていないので、覆う構成に比べると、明るい状態で付勢部材５４の確認がされ、かつ付勢部材５４の外輪も確認される。
【００４５】
図９は、本発明の第３の実施形態に係る付勢部材装着部７６をＣＩＳ装着側の裏面側からみた（ａ）は上面図であって、（ｂ）は斜視図である。
【００４６】
付勢部材装着部７６も上述した実施形態と窓の形状のみ異なる。
本実施形態における窓８４は、十字形状の突出部６２部分に対して、この突出部６２の底面と、一方の対角線上に配置された窪み部６０の底面を保持した状態で、他方の対角線上に配置された窪み部６０の底面が円弧形状に貫通して形成される。窓８４は、ハウジング５２の裏面側からみると円弧形状に対角線上に２つ切り欠かれた状態で形成され、窓８４から付勢部材５４の一部が視認される。ＣＩＳ４０の装着側の裏面側から窓８４を介して付勢部材５４が正確な姿勢で装着されていることが視認される。また、窪み部６０の底面を切り欠く面積が少なく、付勢部材５４を保持する突出部６２の形状が十字形状のほか円柱形状、円筒形状等である場合にも適用される。
【００４７】
図１０は、本発明の第４の実施形態に係る付勢部材装着部８６をＣＩＳ装着側の裏面側からみた（ａ）は上面図であって、（ｂ）は斜視図である。
【００４８】
付勢部材装着部８６も上述した実施形態と窓の形状のみ異なる。
本実施形態における窓９４は、十字形状の突出部６２部分に対して、この突出部６２の底面と、一方の対角線上に配置された窪み部６０の底面を保持した状態で、他方の対角線上に配置された窪み部６０を中心に配置される底面を残した状態で扇形状に貫通して形成されている。この窓９４は、ハウジング５２の裏面側からみると窪み部６０の中心部を残した状態で扇形状に対角線上に２つ切り欠かれた状態で形成され、窓９４から付勢部材５４の一部が視認される。ＣＩＳ４０の装着側の裏面側から窓９４を介して付勢部材５４が正確な姿勢で装着されていることが視認される。また、ＣＩＳ４０の裏面側の窪み部６０の底面だけでなく、その側面も覆われていないので、覆う構成に比べると、明るい状態で付勢部材５４の確認がされ、かつ付勢部材５４の外輪も確認される。さらに、窪み部６０の底面として付勢部材５４の内側面が保持されているので、付勢部材５４を保持する突出部６２の形状が十字形状のほか円柱形状、円筒形状等である場合にも適用される。
【００４９】
図１１は、本発明の第５の実施形態に係る付勢部材装着部９６をＣＩＳ装着側の裏面側からみた（ａ）は上面図であって、（ｂ）は斜視図である。
【００５０】
付勢部材装着部９６も上述した実施形態と窓の形状のみ異なる。
本実施形態における窓１０４は、十字形状の突出部６２の底面を保持した状態で、窪み部６０の底面が半円形状に切り欠かれた状態で貫通して形成される。窓１０４は、ハウジング５２の裏面側からみると窪み部６０の底面を保持した状態で半円形状に対角線上に４か所切り欠かれた状態で形成され、窓１０４から付勢部材５４の一部が視認される。ＣＩＳ４０の装着側の裏面側から窓１０４を介して付勢部材５４が正確な姿勢で装着されていることが視認される。また、窪み部６０の底面を切り欠く面積が少ないにもかかわらず、窪み部６０の底面だけでなく、その側面も覆われていないので、覆う構成に比べると、明るい状態で付勢部材５４の確認がされ、かつ付勢部材５４の外輪も確認される。また、４か所切り欠かれているので、２か所である場合にくらべて、より正確な姿勢で装着されていることが視認される。さらに、付勢部材５４を保持する突出部６２の形状が十字形状のほか円柱形状、円筒形状等である場合にも適用される。
【００５１】
図１２は、本発明の第６の実施形態に係る付勢部材装着部１０６周辺の（ａ）はＣＩＳ４０装着側を示す斜視図であって、（ｂ）はＣＩＳ４０周辺の構成を説明するための断面図である。
【００５２】
付勢部材装着部１０６は、上述した実施形態と突出部の形状が異なる。
本実施形態における突出部７２は、円柱形状であって、付勢部材５４の下端が突出部７２の周囲に保持される。
【００５３】
本実施形態においては、窪み部６０に形成される窓の形状として、例えば上述したように第３の実施形態の窓８４、第４の実施形態の窓９４、又は第５の実施形態の窓１０４等を用いることができ、これらの窓から付勢部材５４の一部が視認される。すなわち、ＣＩＳ４０の装着側の裏面側から窓を介して付勢部材５４が正確な姿勢で装着されていることが視認される。
【００５４】
以上、上述した実施形態に限らず、窓の形状は付勢部材の下端を保持しつつ、付勢部材の装着が視認されればよい。
【００５５】
また、本実施形態においては、窓について貫通させている構成について説明したが、これに限らず、貫通させずに透明部材等で覆うようにしてもよい。透明部材で覆う場合には、窓の大きさを大きくしても付勢部材が落下しない。
【００５６】
また、本実施形態においては、付勢部材装着部として窪み部６０を有する構成について説明したが、これに限らず、窪み部６０はなくてもよい。
【００５７】
また、本実施形態においては、突出部として十字形状のものと円柱形状のものについて説明したが、窓の形成上、十字形状の方がより好ましい。
【００５８】
また、本実施形態においては、突出部として十字形状のものと円柱形状のものについて説明したが、これらに限らず、付勢部材の下端を保持できる形状であればよい。
【００５９】
以上で説明したように、本発明は、例えば複写機、プリンタ、スキャナ、ファクシミリ装置等の画像形成装置に適用することができる。
【符号の説明】
【００６０】
１０・・・画像読取装置
１２・・・記録媒体送り装置
１４・・・スキャナ装置
３８・・・プラテンガラス
４０・・・ＣＩＳ
５２・・・ハウジング
５４・・・付勢部材
５６，６６，７６，８６，９６，１０６・・・付勢部材装着部
６０・・・窪み部
６２，７２・・・突出部
６４，７４，８４，９４，１０４・・・窓
【図１】
0006607518.tif 000002
【図２】
0006607518.tif 000003
【図３】
0006607518.tif 000004
【図４】
0006607518.tif 000005
【図５】
0006607518.tif 000006
【図６】
0006607518.tif 000007
【図７】
0006607518.tif 000008
【図８】
0006607518.tif 000009
【図９】
0006607518.tif 000010
【図１０】
0006607518.tif 000011
【図１１】
0006607518.tif 000012
【図１２】
0006607518.tif 000013